(57)【要約】【課題】近距離無線通信用アンテナの送受信面に携帯端末を近づけることが可能な画像処理装置を提供する。【解決手段】画像処理装置１は、本体部２と、本体部２の上方に設けられ、画像を読み取る画像読取部３と、画像読取部３の上方に配置される自動原稿送り部５と、画像読取部３の側部に設けられるパネル部４１と、近距離無線通信用のＮＦＣアンテナ４５を有する通信パネル４６と、通信パネル４６を変位可能に支持する支持部であって、通信パネル４６を、パネル部４１及び自動原稿送り部５と隣接する第１位置Ｐ１と第１位置Ｐ１と異なり自動原稿送り部５から第１位置Ｐ１よりも離間した位置である第２位置Ｐ２との間で変位可能に支持するスライド機構４７と、を有する。【選択図】図３
2019150996.tif 000002
【特許請求の範囲】
【請求項１】
本体部と、
前記本体部の上方に設けられ、画像を読み取る画像読取部と、
前記画像読取部の上方に配置される自動原稿送り部と、
前記画像読取部の側部に設けられる操作パネルと、
近距離無線通信用アンテナを有する通信パネルと、
前記通信パネルを変位可能に支持する支持部であって、前記通信パネルを、前記操作パネル及び前記自動原稿送り部と隣接する第１位置と前記第１位置と異なり前記自動原稿送り部から前記第１位置よりも離間した位置である第２位置との間で変位可能に支持する支持部と、を有する、
ことを特徴とする画像処理装置。
【請求項２】
請求項１記載の画像処理装置であって、
前記支持部は、
前記第１位置と前記第２位置との間で、前記第１位置に位置する前記通信パネルの送受信面と前記第２位置に位置する前記通信パネルの送受信面とが互いに平行になるように前記通信パネルを変位可能に支持する、
ことを特徴とする画像処理装置。
【請求項３】
請求項１又は２記載の画像処理装置であって、
前記操作パネルの他部は、表示部を含み、
前記第２位置に位置する前記通信パネルは、前記操作パネルの前記パネル面に対して垂直な方向から見て、前記通信パネルは前記表示部と重ならない位置である、
ことを特徴とする画像処理装置。
【請求項４】
請求項１から３のいずれか１項に記載の画像処理装置であって、
前記支持部は、
前記通信パネルを前記第１位置から前記第２位置へ変位させる際、前記通信パネルを前記自動原稿送り部から前記操作パネルのパネル面に沿う方向に離間させる、
ことを特徴とする画像処理装置。
【請求項５】
請求項４記載の画像処理装置であって、
前記支持部は、
前記通信パネルを前記第１位置から前記第２位置へ変位させる際、前記操作パネルのパネル面に沿う方向であって前記操作パネルの他部に沿って前記自動原稿送り部からスライドさせて離間させる、
ことを特徴とする画像処理装置。
【請求項６】
請求項５記載の画像処理装置であって、
前記支持部は、
前記第２位置が、前記操作パネルのパネル面に沿う方向であって前記操作パネルの他部に沿って、前記第１位置から段階的に離間距離を変更可能な位置に前記通信パネルを保持する保持機構を有する、
ことを特徴とする画像処理装置。
【請求項７】
請求項１から６のいずれか１項に記載の画像処理装置であって、
さらに、パネル基板を有し、
前記通信パネルと前記パネル基板とはハーネスで接続され、
前記ハーネスは、
前記通信パネルが前記第２位置にある状態で前記パネル基板と前記通信パネルとを接続可能な長さを有し、
前記操作パネルは、
前記通信パネルが前記第１位置にある状態で撓んだ前記ハーネスを格納する格納部を有する、
ことを特徴とする画像処理装置。
【請求項８】
請求項７記載の画像処理装置であって、
さらに、パネル基板を有し、
前記通信パネルと前記パネル基板とはハーネスで接続され、
前記ハーネスは、
前記通信パネルが前記第２位置にある状態で前記パネル基板と前記通信パネルとを接続可能な長さを有し、前記通信パネルが前記第２位置にある状態で前記操作パネルから引き出され、
前記操作パネルは、
前記通信パネルが前記第１位置にある状態で撓んだ前記ハーネスを巻き取る巻取具を有する、
ことを特徴とする画像処理装置。
【請求項９】
本体部と、
前記本体部の上方に設けられ、画像を読み取る画像読取部と、
前記画像読取部の上方に配置される自動原稿送り部と、
前記画像読取部の側部に設けられる操作パネルと、
近距離無線通信用アンテナを有する通信パネルと、
前記通信パネルを、前記操作パネル及び前記自動原稿送り部と隣接する第１位置において着脱可能に支持する支持部と、
前記支持部から離脱した前記通信パネルを、前記第１位置よりも前記自動原稿送り部から離間した位置である第２位置において支持するハーネスと、を有する、
ことを特徴とする画像処理装置。
【発明の詳細な説明】
【技術分野】
【０００１】
本発明は、近距離無線通信（ＮＦＣ：Ｎｅａｒ  Ｆｉｅｌｄ  Ｃｏｍｍｕｎｉｃａｔｉｏｎ）のためのアンテナ（以下、ＮＦＣアンテナと呼ぶ）を備えた画像処理装置に関する。
【背景技術】
【０００２】
従来、画像形成装置等の画像処理装置において、装置本体に設けられた操作パネルに並列して通信パネルを取付けたものが知られている。
例えば、特許文献１に、通信パネルを備えた画像形成装置が開示されている。通信パネルの上面には、非接触カードが載置される載置部が設けられており、載置された非接触カードとの間で、無線通信によって情報を読み取るように構成されている。そして、上記画像形成装置では、通信パネルは、上面の高さが操作パネルの操作面より突出するように設けられている。
【先行技術文献】
【特許文献】
【０００３】
【特許文献１】特開２０１０−１１４７８４号公報
【発明の概要】
【発明が解決しようとする課題】
【０００４】
上記画像形成装置では、通信パネルの上面の高さを操作パネルの操作面より突出させることで、非接触カードを通信パネルに載置する際に、操作パネルの操作キーに触れることなく、確実に載置することが可能になっている。
【０００５】
しかしながら、近年、非接触カードと同様の機能を持つ近距離無線通信用アンテナが搭載された携帯端末（スマートフォンやタブレット）等が登場している。これらの携帯端末等は、様々な大きさのものが存在しており、近年は携帯端末の大型化も進んでいる。このため、画像読取部の上方に自動原稿送り装置（ＡＤＦ：Ａｕｔｏ  Ｄｏｃｕｍｅｎｔ  Ｆｅｅｄｅｒ）が設けられ、画像読取部の側部に操作パネルが設けられている画像処理装置の場合、携帯端末の大きさによっては、操作パネルに設けられている近距離無線通信用アンテナの送受信面に携帯端末を近づけることができない場合があった。
【０００６】
本発明は、かかる現状の課題に鑑みてなされたものであり、近距離無線通信用アンテナの送受信面に携帯端末を近づけることが可能な画像処理装置を提供するものである。
【課題を解決するための手段】
【０００７】
本発明の解決しようとする課題は以上の如くであり、次にこの課題を解決するための手段を説明する。
【０００８】
即ち、本発明に係る画像処理装置は、本体部と、前記本体部の上方に設けられ、画像を読み取る画像読取部と、前記画像読取部の上方に配置される自動原稿送り部と、前記画像読取部の側部に設けられる操作パネルと、近距離無線通信用アンテナを有する通信パネルと、前記通信パネルを変位可能に支持する支持部であって、前記通信パネルを、前記操作パネル及び前記自動原稿送り部と隣接する第１位置と前記第１位置と異なり前記自動原稿送り部から前記第１位置よりも離間した位置である第２位置との間で変位可能に支持する支持部と、を有することを特徴とする。
【０００９】
また、本発明に係る画像処理装置は、本体部と、前記本体部の上方に設けられ、画像を読み取る画像読取部と、前記画像読取部の上方に配置される自動原稿送り部と、前記画像読取部の側部に設けられる操作パネルと、近距離無線通信用アンテナを有する通信パネルと、前記通信パネルを、前記操作パネル及び前記自動原稿送り部と隣接する第１位置において着脱可能に支持する支持部と、前記支持部から離脱した前記通信パネルを、前記第１位置よりも前記自動原稿送り部から離間した位置である第２位置において支持するハーネスと、を有することを特徴とする。
【発明の効果】
【００１０】
本発明の効果として、以下に示すような効果を奏する。
【００１１】
本発明に係る画像処理装置によれば、さまざまな大きさの携帯端末を、近距離無線通信用アンテナに確実に近づけることができる。
【図面の簡単な説明】
【００１２】
【図１】本発明の一実施形態に係る画像処理装置を示す斜視図である。
【図２】本発明の一実施形態に係る画像処理装置を示す左側面模式図である。
【図３】第１の実施形態に係る操作パネルを示す斜視図、（ａ）通信パネルが第１位置にある状態、（ｂ）通信パネルが第２位置にある状態、である。
【図４】第１の実施形態に係る操作パネルの通信部の説明図、（ａ）通信部を構成する通信パネルの斜視図、（ｂ）通信部のスライド方向視の分解模式図である。
【図５】第２位置に配置された通信パネルに対する携帯端末の配置状況を示す斜視図である。
【図６】第１の実施形態に係る操作パネルにおける通信パネルの保持状況を示す左側面視模式図である。
【図７】第１の実施形態に係る操作パネルの別実施例を示す図、（ａ）通信パネルの変位方向を左右方向とした場合、（ｂ）通信パネルの変位方向を斜め方向とした場合、である。
【図８】第１の実施形態に係る操作パネルにおけるハーネスの出し入れ状況を示す左側面視模式図である。
【図９】第１の実施形態に係る操作パネルにおけるハーネスの出し入れ状況（リール機構を用いた場合）を示す左側面視模式図である。
【図１０】第２の実施形態に係る操作パネルを示す斜視図である。
【図１１】第２の実施形態に係る操作パネルにおける通信パネルの変位状況を示す左側面視模式図である。
【図１２】第３の実施形態に係る操作パネルを示す斜視図である。
【図１３】第３の実施形態に係る操作パネルにおける通信パネルの変位状況を示す左側面視模式図である。
【発明を実施するための形態】
【００１３】
［画像処理装置の全体構成］
まず初めに、本発明の一実施形態に係る画像処理装置の全体構成を説明する。
図１および図２に示す画像処理装置１は、本発明に係る画像処理装置の一例である。画像処理装置１は、用紙に対して画像を形成する処理や、原稿に形成された画像を読み取って画像データを生成する処理等を実行可能な装置であり、本体部２、画像読取部３、操作パネル４、自動原稿送り部５、給紙部６等により構成される。
【００１４】
本体部２は、用紙に対して画像を形成したり、画像データを生成したりする部位であり、筐体２０を備えている。筐体２０の内部には、感光体、帯電器、露光器、転写体、定着器等（図示せず）からなる画像形成ユニット２１、メイン基板２２を内蔵している。
【００１５】
画像読取部３は、本体部２の画像形成ユニット２１で処理する画像情報を原稿から光学的に読み取るための部位（いわゆる、光学スキャナ）であり、筐体３０と、原稿カバー３１を備えている。画像読取部３は、筐体３０に、フラットベッドと光源と受光部等（図示せず）を一体とした光学ユニット３２を内蔵している。原稿カバー３１は、筐体３０の天面に位置するフラットベッド上に配置した原稿を上方から押さえるとともに原稿の周囲を暗所とするための部材であり、光学ユニット３２の上面を、原稿カバーによって開閉可能としている。そして、画像読取部３は、光学ユニット３２の上面（フラットベッド上）に置いた原稿を原稿カバー３１で押さえた状態で、原稿の下面に向けて光源から光を照射するとともに、原稿からの反射光を受光部で受光することによって、原稿に記されている画像情報を読み取ることができる。
【００１６】
操作パネル４は、画像処理装置１を構成する操作パネルの第１の実施形態であり、支持基台４０とパネル部４１とパネル基板５０とを備えている。画像処理装置１では、支持基台４０を画像読取部３の前側の側部に取り付けて、操作パネル４を画像処理装置１の前側に配置している。画像処理装置１の前側はユーザーが画像処理装置１にアクセスする側であり、操作パネル４をユーザーが操作しやすい位置に配置している。
【００１７】
図２および図３（ａ）に示すように、支持基台４０は、パネル部４１を支持するための基台部であり、画像読取部３の筐体３０の前面に付設されている。
【００１８】
パネル部４１は、ユーザーが画像処理装置１に対して各種の指示を与えるために操作するパネル状の部位であり、パネル面４１ａを略斜め上方に向けた姿勢で、支持基台４０によって支持されている。パネル部４１は、パネル面４１ａを、後側から前側に向けて先下がりとなる適度な角度で傾斜させており、ユーザーがパネル面４１ａを操作しやすく、かつ、視認しやすくしている。
【００１９】
そして、パネル部４１は、パネル面４１ａを３つの領域に分割し、一つ目の領域を入力部４２とし、二つ目の領域を表示部４３とし、三つ目の領域を通信部４４としている。操作パネル４のパネル部４１は、画像処理装置１の右方から順に、入力部４２、表示部４３、通信部４４の順に配置されている。即ち、パネル部４１は、通信部４４の他部として、入力部４２および表示部４３を含んでいる。
【００２０】
入力部４２は、ユーザーが印刷枚数の設定、用紙の大きさ・枚数等の情報を入力するための部位であり、数値を入力するためのテンキー等の複数の操作ボタンにより構成されている。
【００２１】
表示部４３は、画像処理装置１の設定状況や動作状況等を表す情報を表示するための部位であり、文字や画像を表示可能な液晶パネルを備えている。なお、画像処理装置１の表示部４３を構成する液晶パネルはタッチパネルとしてもよい。表示部４３をタッチパネルである液晶パネルにより構成した場合、入力部４２の機能を表示部４３に持たせることができる。
【００２２】
通信部４４は、近距離無線通信による外部機器との情報の送受信を可能とするための部位であり、ＮＦＣアンテナ４５と、ＮＦＣアンテナ４５を格納するパネル状の筐体である通信パネル４６とを備えている。また、通信部４４は、支持基台４０に対して通信パネル４６を変位可能に支持するスライド機構４７を備えている。そして、操作パネル４は、通信部４４のＮＦＣアンテナ４５および通信パネル４６を、スライド機構４７によって、パネル部４１の他の部位（即ち、入力部４２および表示部４３）から独立して変位可能に構成している。
【００２３】
図１および図２に示すように、自動原稿送り部５は、画像読取部３に対して原稿を連続的に供給することを可能にする部位であり、原稿カバー３１の左側上部において、原稿カバー３１と一体的に構成されている。画像処理装置１において、画像読取部３の原稿カバー３１および自動原稿送り部５とパネル部４１は、原稿カバー３１を閉じた状態において近接する位置に配置されている。特に自動原稿送り部５は、原稿カバー３１の左寄りの位置に配置されており、パネル部４１の各部のうち表示部４３や通信部４４に近接している。
【００２４】
給紙部６は、本体部２に給紙するための用紙を積層して貯めておくための給紙トレイ６０や、本体部２に対して用紙を一枚ずつ給紙するための給紙ローラ（図示せず）等を備えており、本体部２の下方に配置されている。
【００２５】
このような構成の画像処理装置１は、複写機（コピー機）の機能を有し、画像読取部３で読み取った原稿の画像情報が本体部２に送られ、本体部２において、給紙部６より供給された用紙に画像情報に基づく画像を形成（印刷）することができる。
【００２６】
また、画像処理装置１は、印刷機（プリンター）の機能を有し、例えば、ＰＣ等の外部機器が接続され、外部機器から本体部２に原稿に対応する画像情報が入力される。そして、画像処理装置１は、本体部２によって、給紙部６より供給された用紙に画像情報に基づく画像を形成（印刷）することができる。
【００２７】
このように、画像処理装置１は、複写機や印刷機等の複数の機能を有する装置（いわゆる複合機）として構成されている。
【００２８】
そして、通信部４４を備えた画像処理装置１では、画像情報の入力を、近距離無線通信によって、通信部４４と無線接続したスマートフォン等の携帯端末から行うことができる。さらに、通信部４４を備えた画像処理装置１では、近距離無線通信によって、通信部４４と無線接続したスマートフォン等の携帯端末と、設定状況や作動状況に関する情報の授受を行うことができる。
【００２９】
［通信部の構成］
次に、第１の実施形態に係る操作パネル４における通信部４４の構成について、さらに詳細に説明する。
図４（ａ）（ｂ）に示すように、通信部４４は、ＮＦＣアンテナ４５と通信パネル４６を備えている。ＮＦＣアンテナ４５は、近距離無線通信用のアンテナである。通信部４４は、ＮＦＣアンテナ４５の通信可能範囲内（概ね、１０ｃｍ以内）に携帯端末のＮＦＣアンテナを配置することで、携帯端末との近距離無線通信が可能になる。つまり、通信部４４は、通信パネル４６の表面に設定した送受信面４４ａに対して、携帯端末をかざすことで、携帯端末との近距離無線通信が可能になる。さらに、通信部４４は、送受信面４４ａに対して、携帯端末を密着させることによって、より安定した近距離無線通信が可能となる。
【００３０】
通信部４４を構成する通信パネル４６は、図４（ｂ）に示すスライド機構４７によって、支持基台４０に対して変位可能に支持されている。
第１の実施形態に係る操作パネル４を構成するスライド機構４７は、レール部材４７ａとガイド溝４７ｂにより構成される。レール部材４７ａは、支持基台４０に固定されており、ガイド溝４７ｂは、通信パネル４６に形成されている。
【００３１】
レール部材４７ａは、ガイド溝４７ｂを沿わせるための直線状の凸部を形成する部材であり、平面視において前後方向に平行な姿勢で支持基台４０に固定されている。ガイド溝４７ｂは、レール部材４７ａの凸形状に嵌る凹形状を有する溝部であり、通信パネル４６の前後方向に対して平行に形成されている。そして、ガイド溝４７ｂをレール部材４７ａに嵌め合わせることによって、通信パネル４６は、レール部材４７ａに沿って、平面視における前後方向にスライド可能となっている。なお、本実施形態で示したスライド機構４７の構成は例示であり、支持基台４０に対して通信パネル４６を直線方向にスライド可能に支持する機構であれば、さまざまな機構を採用することができ、直動ガイド機構等を採用してもよい。
なお、スライド機構４７は、蟻継ぎ状の勾配が設けられており、通信パネル４６が変位したとしても支持面４０ａから外れないように構成されていてもよい。
【００３２】
［通信パネルの変位状況］
次に、通信パネル４６の変位状況について、説明する。
図３（ｂ）に示す操作パネル４において、レール部材４７ａは、図３（ｂ）および図４（ｂ）に示すように、平面視において前後方向に平行で、かつ、側面視において、パネル面４１ａに平行な向きに配置している。このような構成において、スライド機構４７によって支持されている通信パネル４６は、平面視において前後方向に変位可能であり、かつ、側面視において、パネル面４１ａに平行な向きに変位可能である。
【００３３】
即ち、図３（ａ）（ｂ）に示すように、操作パネル４は、スライド機構４７によって、通信部４４を構成するＮＦＣアンテナ４５および通信パネル４６を、通信パネル４６が自動原稿送り部５に隣接している位置である第１位置Ｐ１と、第１位置Ｐ１と異なる位置であり通信パネル４６が第１位置Ｐ１よりも自動原稿送り部５から離間した位置である第２位置Ｐ２と、の間で変位可能に構成されている。また、操作パネル４で設定した第２位置Ｐ２は、通信パネル４６が、第１位置Ｐ１よりもパネル部４１における通信部４４以外の部位（入力部４２および表示部４３）から離間した位置となっている。
【００３４】
また、操作パネル４において設定した第２位置Ｐ２は、通信パネル４６が表示部４３から離間する方向へ変位した位置であり、第２位置Ｐ２に位置する通信パネルが表示部４３に重なることがない。そして、第２位置Ｐ２に位置する通信パネル４６は、パネル部４１のパネル面４１ａに対して垂直な方向から見て、通信パネル４６が表示部４３と重ならない位置としている。
【００３５】
このような構成の画像処理装置１では、携帯端末を通信パネル４６に近づけた際、携帯端末の大きさによってはパネル部４１の他部に設けられた表示部４３が携帯端末等の筐体によって隠れる恐れがある。しかしながら、スライド機構４７は、通信パネル４６をパネル部４１のパネル面４１ａに対して垂直な方向から見て、表示部と重ならない位置である第２位置に変位することで、さらに大きな携帯端末を通信パネル４６に近づけたとしても表示部４３が携帯端末によって隠れる部分を減らすことができる。
【００３６】
また、このような構成の通信部４４において、通信パネル４６は、パネル部４１のパネル面４１ａに沿って変位するため、前方向に変位する際には、下方へも変位し、後方向に変位する際には、上方へも変位する。
【００３７】
即ち、操作パネル４では、通信パネル４６を第１位置Ｐ１と第２位置Ｐ２の間で変位させるとき、パネル部４１のパネル面４１ａに沿って変位させる構成としている。そして、操作パネル４では、第１位置Ｐ１にある通信パネル４６と第２位置Ｐ２にある通信パネル４６の各送受信面１４４ａが互いに平行となっている。このため、通信部４４の送受信面４４ａは、通信パネル４６が前後方向へ変位する間、常にパネル面４１ａに対して平行な状態を維持することができる。これにより、通信部４４は、送受信面４４ａをユーザーに対して常に適切な角度に向けることができ、近距離無線通信を利用する際に良好な操作性を維持することが可能になっている。
【００３８】
このような構成の通信部４４を有する画像処理装置１では、第１位置Ｐ１に位置する通信パネル４６の送受信面４４ａと第２位置Ｐ２に位置する通信パネル４６の送受信面４４ａとが互いに平行であることで、第２位置Ｐ２に位置する通信パネル４６に携帯端末等を近づけることができる。また、通信部４４を有する画像処理装置１では、パネル部４１の一部である通信パネル４６を自動原稿送り部５から離間させた第２位置Ｐ２に変位可能に支持するスライド機構４７を設けることによって、携帯端末等の大きさに応じて、その携帯端末等を通信パネル４６に確実に近づけることができる。
【００３９】
そして、このような構成の画像処理装置１では、図５に示すように、通信パネル４６を第１位置Ｐ１から第２位置Ｐ２に変位させることで、従来のスマートフォンよりも大型であるタブレット端末等の大きさに合わせて、それに適した位置に通信パネル４６を配置することができる。これにより、画像処理装置１では、通信パネル４６に対して、さまざまな大きさの携帯端末をかざす際に、携帯端末が自動原稿送り部５に干渉するような事態が生じる可能性が低減されている。
【００４０】
［保持機構の構成］
また、図３（ｂ）および図４（ｂ）に示すように、操作パネル４は、保持機構４８を備えている。保持機構４８は、支持基台４０の支持面４０ａに形成された複数の係止部４８ａ・４８ｂ・４８ｃと、通信パネル４６に設けられた被係止部４８ｄによって構成される。各係止部４８ａ・４８ｂ・４８ｃは、被係止部４８ｄを係止可能な略半球状の凹部である。
【００４１】
図６に示すように、被係止部４８ｄは、通信パネル４６に形成された略円筒状の凹部４６ｃに球部材４８ｅとバネ部材４８ｆを配置して構成されている。球部材４８ｅは、支持面４０ａと接触する通信パネル４６の底面から外側に突出し、あるいは、底面から内側に入り込むことができるように構成されている。被係止部４８ｄの球部材４８ｅは、バネ部材４８ｆによって、底面から外側に突出する方向に常時バネ力が付与されている。なお、図６は係止部４８ａ・４８ｂ・４８ｃの形成位置における左側面から見た断面模式図である。
【００４２】
各係止部４８ａ・４８ｂ・４８ｃは、スライド機構４７によって通信パネル４６が変位するときに被係止部４８ｄの球部材４８ｅが支持面４０ａに接する軌跡に沿って形成されている。
【００４３】
操作パネル４は、通信パネル４６が第１位置Ｐ１にある状態で、通信パネル４６に設けた被係止部４８ｄを係止することが可能な位置に係止部４８ａを配置している。そして、操作パネル４は、通信パネル４６が第１位置Ｐ１にある状態で、通信パネル４６側に設けた被係止部４８ｄを係止部４８ａで係止することによって、通信パネル４６を第１位置Ｐ１で保持可能としている。
【００４４】
また、操作パネル４は、通信パネル４６が第２位置Ｐ２にある状態で、通信パネル４６に設けた被係止部４８ｄを係止することが可能な位置に係止部４８ｂを配置している。そして、操作パネル４は、通信パネル４６が第２位置Ｐ２にある状態で、通信パネル４６側に設けた被係止部４８ｄを係止部４８ｂで係止することによって、通信パネル４６を第２位置Ｐ２でも保持可能としている。
【００４５】
さらに、操作パネル４は、通信パネル４６が第１位置Ｐ１と第２位置Ｐ２の中間の位置にある状態で、通信パネル４６に設けた被係止部４８ｄを係止することが可能な位置に係止部４８ｃを配置している。そして、操作パネル４は、通信パネル４６が第１位置Ｐ１と第２位置Ｐ２の中間位置にある状態で、通信パネル４６側に設けた被係止部４８ｄを係止部４８ｃで係止することによって、通信パネル４６を第１位置Ｐ１と第２位置Ｐ２以外の中間位置で保持可能としている。
【００４６】
このような構成の通信部４４において、通信パネル４６は、被係止部４８ｄの球部材４８ｅが、最も後側の係止部４８ａに係止されることによって、第１位置Ｐ１に配置され、かつ、係止部４８ａによって、通信パネル４６の位置を保持することができる。また、通信パネル４６は、被係止部４８ｄの球部材４８ｅが、最も前側の係止部４８ｂに係止されることによって、第２位置Ｐ２に配置され、かつ、係止部４８ｂによって、通信パネル４６の位置を保持することができる。さらに、通信パネル４６は、被係止部４８ｄの球部材４８ｅが、係止部４８ｃに係止されることによって、第１位置Ｐ１と第２位置Ｐ２の中間位置に配置され、かつ、係止部４８ｃによって、通信パネル４６の位置が保持される。
【００４７】
このように、操作パネル４は、第２位置Ｐ２が、パネル部４１のパネル面４１ａに沿う方向であってパネル部４１の通信部４４以外の部位である他部（入力部４２および表示部４３）に沿って、第１位置Ｐ１から段階的に離間距離を変更可能な位置に通信パネル４６を保持する保持機構４８を備えている、
【００４８】
そして、このような保持機構４８を有する画像処理装置１では、通信パネル４６を、第１位置Ｐ１から段階的に自動原稿送り部５から離間させることができ、さまざまな大きさの携帯端末等を通信パネル４６に確実に近づけることができる。なお、本実施形態では、係止部を３段階（係止部４８ａ・４８ｂ・４８ｃ）で設けた場合を例示しているが、保持機構４８における係止部の個数はこれに限定されない。また、操作パネル４では、無段階で保持位置を変更可能（即ち、任意の位置で保持可能）とする保持機構を採用してもよい。本実施形態で示した保持機構４８の構成は例示であり、支持基台４０上をスライドする通信パネル４６を係止できる機構であれば、さまざまな機構を採用することができる。
【００４９】
そして、このような構成の通信部４４においては、ユーザーが通信パネル４６を前後に容易にスライドさせることが可能であり、かつ、各係止部４８ａ・４８ｂ・４８ｃと被係止部４８ｄによって、位置決めを行うことが容易である。
【００５０】
［スライド機構の別実施例］
また、図３（ａ）に示した操作パネル４では、スライド機構４７によるＮＦＣアンテナ４５および通信パネル４６の変位方向が、平面視において前後方向に平行である場合を例示しているが、操作パネル４におけるＮＦＣアンテナ４５および通信パネル４６の変位方向は、平面視において左右方向に平行であってもよいし、平面視において前後方向および左右方向に対して傾斜した方向であってもよい。
【００５１】
例えば、図７（ａ）に示す操作パネル４では、レール部材４７ａを平面視において左右方向に対して平行に配置しており、スライド機構４７によるＮＦＣアンテナ４５および通信パネル４６の変位方向を、平面視における左右方向としている。このような構成の操作パネル４では、スライド機構４７によって、通信パネル４６（およびＮＦＣアンテナ４５）を、該通信パネル４６が自動原稿送り部５に隣接している位置である第１位置Ｐ１と、第１位置Ｐ１と異なる位置であり通信パネル４６が第１位置Ｐ１よりも自動原稿送り部５から離間した位置である第２位置Ｐ２と、の間で変位可能に構成されている。
【００５２】
また、例えば、図７（ｂ）に示す操作パネル４では、レール部材４７ａを平面視において前後方向および左右方向に対して傾斜させて配置しており、スライド機構４７によるＮＦＣアンテナ４５および通信パネル４６の変位方向を、平面視において前後方向および左右方向に対する斜め方向としている。このような構成の操作パネル４では、スライド機構４７によって、通信パネル４６（およびＮＦＣアンテナ４５）を、該通信パネル４６が自動原稿送り部５に隣接している位置である第１位置Ｐ１と、第１位置Ｐ１と異なる位置であり通信パネル４６が第１位置Ｐ１よりも自動原稿送り部５から離間した位置である第２位置Ｐ２と、の間で変位可能に構成されている。
【００５３】
即ち、操作パネル４において、スライド機構４７は、通信パネル４６を第１位置Ｐ１から第２位置Ｐ２へ変位させる際、通信パネル４６を自動原稿送り部５からパネル部４１のパネル面４１ａに沿う方向に離間させる。
【００５４】
このように、スライド機構４７を有する画像処理装置１では、パネル部４１のパネル面４１ａに沿う各方向(前後方向、左右方向、および前後左右に対する斜め方向)に通信パネル４６が自動原稿送り部５から離間することで、携帯端末等を通信パネル４６に確実に近づけることができる。
【００５５】
また、操作パネル４において、スライド機構４７は、通信パネル４６を第１位置Ｐ１から第２位置Ｐ２へ変位させる際、パネル部４１のパネル面４１ａに沿う方向であってパネル部４１の通信部４４以外の部位である他部（入力部４２および表示部４３）に沿って自動原稿送り部５からスライドさせて離間させる。
【００５６】
このように、スライド機構４７を有する画像処理装置１では、通信パネル４６をパネル部４１の表示部４３などの他部に沿ってスライドさせて自動原稿送り部５からスライドさせて離間させるため、通信パネルを支持する機構の構成が複雑でなく簡単に構成できる。
【００５７】
［ハーネスの構成］
図８に示すように、操作パネル４では、通信部４４において、ＮＦＣアンテナ４５は、ハーネス４９によって、支持基台４０に内蔵されたパネル基板５０に接続されている。そして、パネル基板５０は、本体部２に内蔵されたメイン基板２２に接続されている。即ち、ＮＦＣアンテナ４５は、ハーネス４９とパネル基板５０を介してメイン基板２２に接続されている。なお、図８は孔部４０ｃの形成位置における左側面から見た断面模式図である。
【００５８】
ハーネス４９の長さは、通信パネル４６の変位を可能とするべく、長さに余裕を持たせている。そして、操作パネル４は、通信部４４の支持基台４０において、ハーネス４９の余裕分を撓ませて格納するための空間である格納部４０ｂが形成されている。格納部４０ｂから繰り出されたハーネス４９は、孔部４０ｃから溝状の凹部４６ａと孔部４６ｂを介して通信パネル４６の内部に導入され、ＮＦＣアンテナ４５に接続される。このような構成の通信部４４では、通信パネル４６の変位に応じて、支持基台４０からハーネス４９を自在に出し入れすることができる。
【００５９】
このように、画像処理装置１は、パネル基板５０を有しており、通信パネル４６とパネル基板５０とはハーネス４９で接続されている。そして、ハーネス４９は、通信パネル４６が第２位置Ｐ２にある状態でパネル基板５０と通信パネル４６とを接続可能な長さを有し、操作パネル４は、通信パネル４６が第１位置Ｐ１にある状態で撓んだハーネス４９を格納する格納部４０ｂを有する、
【００６０】
このように、ハーネス４９を出し入れ可能とした通信部４４を有する画像処理装置１では、通信パネル４６の変位に応じて操作パネル４からハーネス４９を出し入れすることができ、通信パネル４６を第１位置Ｐ１と第２位置Ｐ２の間で変位させることができる。
【００６１】
［リール機構の構成］
さらに、図９に示すように、操作パネル４では、通信部４４において、ＮＦＣアンテナ４５とパネル基板５０の間におけるハーネス４９の中途部に、ハーネス４９の巻き取りおよび巻き出しが可能な巻取具であるリール機構５１を設けてもよい。リール機構５１は、図示しないゼンマイ等のバネ部材によって、ハーネス４９に対して巻き取り方向へのバネ力を付与しつつ、ハーネス４９を巻き取る機構であり、格納部４０ｂに内蔵する構成とすることが好ましい。このような構成の通信部４４では、ハーネス４９の出し入れをよりスムースにすることができる。なお、図９は孔部４０ｃの形成位置における左側面から見た断面模式図である。
【００６２】
このように、リール機構５１を有する画像処理装置１では、ハーネス４９を操作パネル４からスムースに出し入れすることができ、通信パネル４６をスムースに変位させることができる。
【００６３】
即ち、従来の画像処理装置では、画像読取部の側部に設けられた操作パネルの通信パネルに、近距離無線通信用アンテナを有する携帯端末等を近づける際、この携帯端末等の大きさによっては画像読取部の上方に配置された自動原稿送り部に携帯端末等の筐体が衝突する可能性があり、携帯端末等を通信パネル４６の近距離無線通信の通信距離に近づけることができない場合があった。一方、操作パネル４を備えた画像処理装置１では、パネル部４１の一部である通信パネル４６を自動原稿送り部５から離間させた第２位置Ｐ２に変位可能に支持する支持部として、スライド機構４７を設けることによって、携帯端末等の大きさに応じて、その携帯端末等を通信パネル４６に確実に近づけることが可能である。
【００６４】
［操作パネルの第２の実施形態］
次に、第２の実施形態に係る操作パネルについて、説明する。
図１に示す画像処理装置１は、操作パネル４に変えて、図１０および図１１に示す操作パネル１０４を備える構成とすることができる。操作パネル１０４は、画像処理装置１を構成する操作パネルの第２の実施形態である。
【００６５】
操作パネル１０４は、支持基台１４０の上面である支持面１４０ａ上にパネル部１４１を備えている。支持基台１４０は、前述した支持基台４０の構成と共通している。パネル部１４１は、入力部１４２と表示部１４３と通信部１４４を備えており、入力部１４２と表示部１４３の構成は、前述した入力部４２と表示部４３の構成と共通している。そして、通信部１４４は、前述した通信部４４と相違している。即ち、操作パネル１０４は、通信部１４４を有する点において、操作パネル４と相違している。
【００６６】
次に、第２の実施形態に係る操作パネル１０４における通信部１４４の構成について、説明する。
図１０および図１１に示す如く、通信部１４４は、ＮＦＣアンテナ１４５と通信パネル１４６を備えている。通信部１４４は、ＮＦＣアンテナ１４５の通信可能範囲内（概ね、１０ｃｍ以内）に携帯端末のＮＦＣアンテナ１４５を配置することで、携帯端末との近距離無線通信が可能になる。
【００６７】
［回動機構の構成］
通信部１４４を構成する通信パネル１４６は、回動機構１４７によって、支持基台１４０に対して変位可能に支持されている。
第２の実施形態に係る操作パネル１０４を構成する回動機構１４７はヒンジであり、軸部材１４７ａと回動部材１４７ｂを備えている。回動部材１４７ｂは、軸部材１４７ａを軸心として回動可能に構成された部材であり、軸部材１４７ａは支持基台１４０側に固定されており、回動部材１４７ｂは通信パネル１４６側に固定されている。
【００６８】
軸部材１４７ａは、回動部材１４７ｂの回動軸心となる部材であり、通信部１４４における支持基台１４０の前端部に、左右方向に平行な姿勢で固定されている。
【００６９】
回動部材１４７ｂは、軸部材１４７ａを軸心として回動可能な部材であり、通信パネル１４６の前側端部に固定されている。なお、回動部材１４７ｂは、内部にハーネス１４９を挿通可能な空洞部を有しており、その空洞部は、支持基台１４０に形成された孔部１４０ｂと、通信パネル１４６に形成された孔部１４６ａに連通している。
【００７０】
操作パネル１０４において、軸部材１４７ａは、平面視において左右方向に平行な姿勢で配置されている。このような構成において、回動機構１４７によって支持されている通信パネル１４６は、定位置から手前方向に亘って揺動可能である。
【００７１】
［通信パネルの変位状況］
そして、操作パネル１０４は、回動機構１４７によって、通信部１４４を構成するＮＦＣアンテナ１４５および通信パネル１４６を、通信パネル１４６が自動原稿送り部５に隣接している位置である第１位置Ｐ１と、第１位置Ｐ１と異なる位置であり通信パネル１４６が第１位置Ｐ１よりも自動原稿送り部５から離間した位置である第２位置Ｐ２と、の間で変位可能に構成されている。また、操作パネル１０４で設定した第２位置Ｐ２は、通信パネル１４６が、第１位置Ｐ１よりもパネル部１４１における通信部１４４以外の部位（入力部１４２および表示部１４３）から離間した位置となっている。
【００７２】
また、操作パネル１０４では、通信パネル１４６の板厚方向における両側の表面を送受信面１４４ａ・１４４ｂとしており、第１位置Ｐ１においては、通信パネル１４６の表面を送受信面１４４ａとし、第２位置Ｐ２においては、通信パネル１４６の裏面を送受信面１４４ｂとしている。
【００７３】
なお、図１０および図１１に示す形態では、回動機構１４７による通信パネル１４６の揺動方向が、前後方向である場合を例示しているが、これに限定されない。
操作パネル１０４では、回動機構１４７の軸部材１４７ａを平面視における前後方向に平行な姿勢で設けることで、通信パネル１４６の揺動方向を左右方向とすることができる。さらに、操作パネル１０４では、回動機構１４７の軸部材１４７ａを平面視における前後方向および左右方向に対して傾斜した姿勢で設けることで、通信パネル１４６の揺動方向を前後方向および左右方向に対して傾斜した方向とすることができる。
【００７４】
即ち、操作パネル１０４を備えた画像処理装置１では、パネル部１４１の一部である通信パネル１４６を自動原稿送り部５から離間させた第２位置Ｐ２に変位可能に支持する支持部として、回動機構１４７を設けることによって、携帯端末等の大きさに応じて、その携帯端末等を通信パネル１４６に確実に近づけることが可能である。
【００７５】
［操作パネルの第３の実施形態］
次に、第３の実施形態に係る操作パネルについて、説明する。
図１に示す画像処理装置１は、操作パネル４に変えて、図１２および図１３に示す操作パネル２０４を備える構成とすることができる。操作パネル２０４は、画像処理装置１を構成する操作パネルの第３の実施形態である。
【００７６】
操作パネル２０４は、支持基台２４０とパネル部２４１を備えている。支持基台２４０は、前述した支持基台４０の構成と共通している。パネル部２４１は、入力部２４２と表示部２４３と通信部２４４を備えており、入力部２４２と表示部２４３の構成は、前述した入力部４２と表示部４３の構成と共通している。そして、通信部２４４は、前述した通信部４４と相違している。即ち、操作パネル２０４は、通信部２４４を有する点において、操作パネル４と相違している。
【００７７】
次に、第３の実施形態に係る操作パネル２０４における通信部２４４の構成について、説明する。
【００７８】
図１２および図１３に示す如く、通信部２４４は、ＮＦＣアンテナ２４５と通信パネル２４６を備えている。通信部２４４は、ＮＦＣアンテナ２４５の通信可能範囲内（概ね、１０ｃｍ以内）に携帯端末のＮＦＣアンテナ２４５を配置することで、携帯端末との近距離無線通信が可能になる。
【００７９】
［支持機構の構成］
通信部２４４を構成する通信パネル２４６は、支持機構２４７によって、支持基台２４０に対して着脱可能に支持されている。
第３の実施形態に係る操作パネル２０４を構成する支持機構２４７は、支持基台２４０の上面である支持面２４０ａに形成された凸部２４７ａと、支持面２４０ａに接する通信パネル２４６の底面に形成された凹部２４７ｂによって構成される。凹部２４７ｂは、凸部２４７ａの形状に対応する一回り大きい凹部であり、凸部２４７ａを嵌め入れることができる形状を有している。
【００８０】
通信パネル２４６は、凹部２４７ｂに凸部２４７ａを嵌め入れることで位置決めされる。また、通信パネル２４６は、支持機構２４７によって位置決めした際に、通信パネル２４６の右側面が表示部２４３の左側面に当接することで、常に一定の姿勢で配置される。
【００８１】
通信部２４４は、ハーネス２４９とリール機構２５１を備えている。ハーネス２４９は、ＮＦＣアンテナ２４５とパネル基板２５０を電気的に接続する部材であり、可撓性を有している。リール機構２５１は、ハーネス２４９の巻取具であり、支持基台２４０の格納部２４０ｂに格納されている。ハーネス２４９は、リール機構２５１から巻き出されて、孔部２０ｃから支持基台２４０の外部に引き出され、孔部２４６ａから通信パネル２４６内に導入されて、ＮＦＣアンテナ２４５に接続される。また、ハーネス２４９のもう一方の端部は、格納部２４０ｂに格納されたパネル基板２５０に接続される。
【００８２】
［通信パネルの変位状況］
そして、操作パネル２０４の通信部２４４は、支持機構２４７によって、通信パネル２４６を支持基台２４０上に取り付けることで、通信パネル２４６（およびＮＦＣアンテナ２４５）を、自動原稿送り部５に隣接している位置である第１位置Ｐ１に配置することができる。また、操作パネル２０４の通信部２４４は、支持機構２４７によって、ユーザーが通信パネル２４６を支持基台２４０から取り外し移動させることで、通信パネル２４６を、第１位置Ｐ１と異なる位置であり通信パネル２４６が第１位置Ｐ１よりも自動原稿送り部５から離間した位置である第２位置Ｐ２に配置することができる。
【００８３】
また、ハーネス２４９は可撓性を有しているため、通信部２４４では、支持機構２４７から取り外した通信パネル２４６を任意の向きに傾けることが可能であり、通信部２４４の送受信面２４４ａの角度を任意の角度に設定することができる。
【００８４】
［ハーネスの構成］
操作パネル２０４では、ハーネス２４９として、可撓性を有するとともに、通信パネル２４６の自重を支持することが可能な程度の剛性を有するものを用いることが好ましい。
このような剛性を有するハーネスを使用した場合、ハーネス２４９によって、支持機構２４７から取り外した通信パネル２４６を支持することができる。そして、通信部２４４では、通信パネル２４６をハーネス２４９により支持して、第２位置Ｐ２に配置することができる。
【００８５】
即ち、操作パネル２０４を備えた画像処理装置１では、第２位置Ｐ２に位置する通信パネル２４６の送受信面２４４ａの角度を任意に変更することができ、携帯端末等の大きさに応じて、第２位置Ｐ２に位置する通信パネル２４６の角度を変更することによって、携帯端末等を通信パネル２４６に確実に近づけることができる。また、このような構成の通信部２４４では、通信パネル２４６の向き（即ち、送受信面２４４ａの向き）を任意に設定した状態で、ユーザーが通信パネル２４６から手を放すことができ、これにより、ユーザーによる携帯端末の取り扱いが容易となる。
【符号の説明】
【００８６】
１      画像処理装置
２      本体部
３      画像読取部
４      操作パネル
５      自動原稿送り部
４１    パネル部
４１ａ  パネル面
４２    入力部
４３    表示部
４４ａ  送受信面
４５    ＮＦＣアンテナ（近距離無線通信用アンテナ）
４６    通信パネル
４７    スライド機構（支持部）
４８    保持機構
４９    ハーネス
５０    パネル基板
１０４  操作パネル
１４１  パネル部
１４２  入力部
１４３  表示部
１４４ａ  送受信面
１４４ｂ  送受信面
１４５  ＮＦＣアンテナ（近距離無線通信用アンテナ）
１４６  通信パネル
１４７  回動機構（支持部）
２０４  操作パネル
２４１  パネル部
２４２  入力部
２４３  表示部
２４４ａ  送受信面
２４５  ＮＦＣアンテナ（近距離無線通信用アンテナ）
２４６  通信パネル
２４７  支持機構（支持部）
２４９  ハーネス
【図１】
2019150996.tif 000003
【図２】
2019150996.tif 000004
【図３】
2019150996.tif 000005
【図４】
2019150996.tif 000006
【図５】
2019150996.tif 000007
【図６】
2019150996.tif 000008
【図７】
2019150996.tif 000009
【図８】
2019150996.tif 000010
【図９】
2019150996.tif 000011
【図１０】
2019150996.tif 000012
【図１１】
2019150996.tif 000013
【図１２】
2019150996.tif 000014
【図１３】
2019150996.tif 000015